(57)【要約】【課題】複雑な機構がなくとも水に空気を通過させることのできる脱臭装置を提供する。【解決手段】吸込口２と吹出口３を設けた本体と、前記本体内には、前記吸込口２と前記吹出口３を連通する空気風路４と、前記空気風路４へ空気を流す送風手段６と、前記空気風路４を遮るように設けた回転可能な円筒形状の脱臭フィルタ５と、前記脱臭フィルタを回転させる駆動部１９と前記駆動部１９で回転させた前記脱臭フィルタ５の下部を水に浸すことのできる水槽８とを備え、前記脱臭フィルタ５は、水に浸した部分に水膜が形成されるフィルタ濾材７を有し、直径が異なるフィルタを径方向に二重に配置したものであり、前記駆動部１９は、フィルタの一方を空気風路と同一方向に回転させ、他方を前記空気風路４と逆方向に回転をさせるものであり、複雑な機構がなくとも水に空気を通過させることのできる脱臭装置１を得ることができる。【選択図】図１
2016174854.tif 000002
【特許請求の範囲】
【請求項１】
吸込口と吹出口を設けた本体と、前記本体内には、前記吸込口と前記吹出口を連通する空気風路と、前記空気風路へ空気を流す送風手段と、前記空気風路を遮るように設けた回転可能な円筒形状の脱臭フィルタと、前記脱臭フィルタを回転させる駆動部と、前記駆動部で回転させた前記脱臭フィルタの下部を蓄えた水に浸すことのできる水槽とを備え、前記脱臭フィルタは、水に浸した部分に水膜が形成されるフィルタ濾材と、前記フィルタ濾材を維持するフィルタ枠とを有し、直径が異なる第一脱臭フィルタと第二脱臭フィルタを形成し、径方向に二重に配置したものであり、前記駆動部は、前記第一、第二脱臭フィルタのうち一方を空気風路と同一方向に回転する正回転、他方を空気風路と逆方向に回転する逆回転をさせる脱臭装置。
【請求項２】
前記第一脱臭フィルタを内周側に配置し前記第二脱臭フィルタの外周側に設置し、前記第一脱臭フィルタは、前記脱臭フィルタの上流側（往路）水中から空気路へ出現する方向に回転し、前記第二脱臭フィルタは、前記脱臭フィルタの上流側（往路）で空気路から水中へ没する方向に回転する請求項１に記載の脱臭装置。
【請求項３】
前記フィルタ枠のうち、前記第一脱臭フィルタを支える第一脱臭フィルタ枠は、前記脱臭フィルタの第一端面側と第二端面側にそれぞれ配置した円形の第一フィルタカバーと、これら第一フィルタカバーから突出して形成した回転軸と、第一端面側において前記回転軸に連結した第一のギアを有し、前記第二脱臭フィルタを支える第二脱臭フィルタ枠は、前記フィルタ濾材を巻装する枠体と、前記第一端面側と第二端面側にそれぞれ配置した円形の第二フィルタカバーと、これら第二フィルタカバーの中心に前記回転軸を貫通させる軸孔と、第一端面側の第二フィルタカバーの外側に前記軸孔と同心円上に第二のギアを有し、前記第一のギアと第二のギアは所定の間隔をとって対向させた請求項１または２記載の脱臭装置。
【請求項４】
前記脱臭フィルタと駆動部とを備え、前記脱臭フィルタは、第一脱臭フィルタと、前記第一脱臭フィルタの中心材を円筒の軸方向に延設して回転軸とし、この回転軸の一端側で連結した第一ギアと、前記回転軸の周りで軸孔により回転可能にした第二脱臭フィルタと、第二脱臭フィルタに前記回転軸の一端側で連結した第二ギアとを備え、前記駆動部は、モータと回転体で構成し、前記回転体は、前記回転軸の一端側で前記第一のギアと前記第二のギアに同時に噛み合うことを特徴とする請求項１から３のいずれか１項に記載の脱臭装置。
【発明の詳細な説明】
【技術分野】
【０００１】
本発明は、脱臭性能を高めた、空気清浄装置すなわち脱臭装置に関するものである。
【背景技術】
【０００２】
従来の、空気清浄装置の構成は、以下のようになっていた。
【０００３】
すなわち、空気清浄用の水を貯留するタンクと、該タンク内の水を揚水するポンプと、前記ポンプにより揚水された水を所定のメッシュサイズの網板に流下させる水流下器と、該水流下器からの水を前記タンクに戻す水回収機構と清浄される空気を送風するファンとを備えた構成となっていた。
【先行技術文献】
【特許文献】
【０００４】
【特許文献１】特開２００５−１８０８７６号公報
【発明の概要】
【発明が解決しようとする課題】
【０００５】
上記従来の空気清浄装置では、清浄する空気を前記水流下器により水を流下させた網板へ通過させて洗浄するため、水を循環させるためのポンプなどの複雑な機構が必要であるという課題があった。そこで本発明は、上記従来の課題を解決するものであり、複雑な機構がなくともフィルタ濾材の通風路断面全体に水膜を保持させ、通過する空気を水に接触させることのできる脱臭装置を提供することを目的とする。
【課題を解決するための手段】
【０００６】
そして、この目的を達成するために、本発明は、吸込口と吹出口を設けた本体と、前記本体内には、前記吸込口と前記吹出口を連通する空気風路と、前記空気風路へ空気を流す送風手段と、前記空気風路を遮るように設けた回転可能な円筒形状の脱臭フィルタと、前記脱臭フィルタを回転させる駆動部と、前記駆動部で回転させた前記脱臭フィルタの下部を蓄えた水に浸すことのできる水槽とを備え、前記脱臭フィルタは、水に浸した部分に水膜が形成されるフィルタ濾材と、前記フィルタ濾材を維持するフィルタ枠とを有し、直径が異なる第一脱臭フィルタと第二脱臭フィルタを形成し、径方向に二重に配置したものであり、前記駆動部は、前記第一、第二脱臭フィルタのうち一方を空気風路と同一方向に回転する正回転、他方を空気風路と逆方向に回転する逆回転をさせるものであり、これにより所定の目的を達成するものである。
【発明の効果】
【０００７】
本発明によれば、吸込口と吹出口を設けた本体と、前記本体内には、前記吸込口と前記吹出口を連通する空気風路と、前記空気風路へ空気を流す送風手段と、前記空気風路を遮るように設けた回転可能な円筒形状の脱臭フィルタと、前記脱臭フィルタを回転させる駆動部と、前記駆動部で回転させた前記脱臭フィルタの下部を蓄えた水に浸すことのできる水槽とを備え、前記脱臭フィルタは、水に浸した部分に水膜が形成されるフィルタ濾材と、前記フィルタ濾材を維持するフィルタ枠とを有し、直径が異なる第一脱臭フィルタと第二脱臭フィルタを形成し、直径方向に二重に配置したものであり、前記駆動部は、前記第一、第二脱臭フィルタのうち一方を空気風路と同一方向に回転する正回転、他方を空気風路と逆方向に回転する逆回転をさせるものであり、これにより、正回転の脱臭フィルタの上流部で風が通過して水膜が消失しても、下流部では、逆回転の脱臭フィルタの上流部に水膜が生成されているため、通風路の断面全体で水膜を保持させることができるため、複雑な機構がなくとも水に空気を通過させ効率的に脱臭を行うことができる。
【図面の簡単な説明】
【０００８】
【図１】本発明の実施の形態１の脱臭装置を示す概略断面図
【図２】本発明の実施の形態１の脱臭フィルタを示す概略斜視図（（ａ）脱臭フィルタの図、（ｂ）脱臭フィルタを水槽の設置した状態を示す図）
【図３】本発明の実施の形態１の第一の脱臭フィルタ枠を示す概略斜視図
【図４】本発明の実施の形態１の第二の脱臭フィルタ枠を示す概略斜視図
【発明を実施するための形態】
【０００９】
本発明の請求項１記載の脱臭装置は、吸込口と吹出口を設けた本体と、前記本体内には、前記吸込口と前記吹出口を連通する空気風路と、前記空気風路へ空気を流す送風手段と、前記空気風路を遮るように設けた回転可能な円筒形状の脱臭フィルタと、前記脱臭フィルタを回転させる駆動部と、前記駆動部で回転させた前記脱臭フィルタの下部を蓄えた水に浸すことのできる水槽とを備え、前記脱臭フィルタは、水に浸した部分に水膜が形成されるフィルタ濾材と、前記フィルタ濾材を維持するフィルタ枠とを有し、直径が異なる第一脱臭フィルタと第二脱臭フィルタを形成し、径方向に二重に配置したものであり、前記駆動部は、前記第一、第二脱臭フィルタのうち一方を空気風路と同一方向に回転する正回転、他方を空気風路と逆方向に回転する逆回転をさせるものである。
【００１０】
これにより、水膜が形成される多孔体がフィルタ濾材全体に水膜を形成することにより、臭気成分がフィルタ濾材を通過するときに水膜を貫通もしくは水膜に接触して水に溶け込み、脱臭が行なわれる。特に、径方向に間隔を空けて二重に配置したことにより、正回転の脱臭フィルタは、正回転の上流部で風が通過して水膜が消失されても、下流部では、逆回転の脱臭フィルタの上流部に水膜が生成されているため、空気風路の断面全体で空気を水膜に貫通もしくは水膜に接触させることができ、フィルタを通過する脱臭成分をほぼ水に溶け込ませることができる。
【００１１】
また、請求項２記載の脱臭装置は、前記第一脱臭フィルタを内周側に配置し前記第二脱臭フィルタの外周側に設置し、前記第一脱臭フィルタは、前記脱臭フィルタの上流側では水中から空気風路へ出現する方向に回転し、前記第二脱臭フィルタは、前記脱臭フィルタの上流側で空気路から水中へ没する方向に回転させるものである。
【００１２】
これにより、上流側では、前記第二脱臭フィルタに空気が通過しフィルタに汚れが付着しても、前記第二脱臭フィルタは空気が通過した直後に水中に没するため、前記第二脱臭フィルタに接触した際に付着した汚れがすぐに落ちる。さらに前記第二脱臭フィルタに通過した後の空気は、第一脱臭フィルタに形成させた清潔な水膜にも接触するため、さらに脱臭効果を高めることができる。つまり、下流側でも同一の反応が起きているため、空気は清潔な水膜に２回通過することとなり、これにより複雑な機能なくても脱臭を行うことができる。
【００１３】
また、請求項３記載の脱臭装置は、前記フィルタ枠のうち、前記第一脱臭フィルタを支える第一脱臭フィルタ枠は、前記脱臭フィルタの第一端面側と第二端面側にそれぞれ配置した円形の第一フィルタカバーと、これら第一フィルタカバーから突出して形成した回転軸と、第一端面側において前記回転軸に連結した第一のギアを有し、前記第二脱臭フィルタを支える第二脱臭フィルタ枠は、前記フィルタ濾材を券装する枠体と、前記第一端面側と第二端面側にそれぞれ配置した円形の第二フィルタカバーと、これら第二フィルタカバーの中心に前記回転軸を貫通させる軸孔と、第一端面側の第二フィルタカバーの外側に前記軸孔と同心円上に第二のギアを有し、前記第一のギアと第二のギアは所定の間隔をとって対向させたものである。
【００１４】
これにより、第二フィルタ受け枠の軸孔に第一フィルタ受け枠の回転軸を貫通させることで、簡単にフィルタを径方向に２重に設置することができる。また、第一のフィルタ枠の回転軸が第二のフィルタ枠の回転軸と同一であるため、無駄な部品がなく、複雑な機能がなくても脱臭を行うことができる。
【００１５】
また、請求項４記載の脱臭装置は、前記脱臭フィルタと駆動部とを備え、前記脱臭フィルタは、第一脱臭フィルタと、前記第一脱臭フィルタの中心材を円筒の軸方向に延設して回転軸とし、この回転軸の一端側で連結した第一ギアと、前記回転軸の周りで軸孔により回転可能にした第二脱臭フィルタと、第二脱臭フィルタに前記回転軸の一端側で連結した第二ギアとを備え、前記駆動部は、モータと回転体で構成し、前記回転体は、前記回転軸の一端側で前記第一のギアと前記第二のギアに同時に噛み合うものである。
【００１６】
これにより、１つのモータで前記第一脱臭フィルタと前記第二脱臭フィルタを互いに逆方向に回転させることができ、複雑な機能がなくても脱臭を行うことができる。
【００１７】
以下、本発明の実施の形態について図面を参照しながら説明をする。
【００１８】
（実施の形態１）
まず、本実施の形態の基本構成を説明する。
【００１９】
図１に示すように、脱臭装置１の本体１ａ前面部には吸込口２、上部には吹出口３が設けられている。本体内には、前記吸込口２と吹出口３を連通する前記空気風路４が形成され、この前記空気風路４に脱臭フィルタ５が配置され、前記空気風路４の脱臭フィルタ５と吹出口３間に空気を流す送風手段６が配置されている。
【００２０】
脱臭フィルタ５は、円筒形状のフィルタ濾材７を備え、円筒形状の中心軸を略水平に配置し、フィルタ濾材７の上部が前記空気風路４を遮るようにし、下部が水槽８内の水に浸るように設置されている。脱臭フィルタ５は、円筒形状フィルタの側面の所定の範囲内において、水に浸した部分に水膜が形成されるように多孔体を備えたフィルタ濾材７を有している。これにより、フィルタ濾材７が水中から空気中に移動する際に脱臭フィルタ５を構成する網状の多孔体に水膜が形成される。フィルタ濾材７は、多孔体に限らず水膜を形成することができる格子または網でも良い。
【００２１】
空気風路４は、本体前面部の吸込口２から本体１ａ下方に備えた脱臭フィルタ５と通り、本体１ａ背面側上方の備えた送風手段６を通り本体１ａ上部の吹出口３までの流路を形成している。本体１ａ内において前面側と背面側を仕切る隔壁９を設けている。隔壁９の最下位に位置する先端部１０は、脱臭フィルタ５の側面部において、円筒形状の中心軸に平行または中心軸１１に向けて、前記脱臭フィルタの上流側と下流側を仕切るものである。空気風路４の構成によっては、隔壁９の形状は本実の形態のものには限定されない。
【００２２】
上記構成によれば、送風手段６によって吸込口２から吸込まれた空気は、脱臭フィルタ５を通過する時に、空気風路４内に設けたフィルタ濾材７の水膜に衝突し、水膜を貫通または水膜に接触することによって、空気に含まれる臭気成分が取り除かれ、脱臭が行なわれる。脱臭フィルタ５を通過して脱臭した空気は、吹出口３から放出される。水膜の水に接触することで脱臭が行なわれるので空気が前記水膜を破らなくても水膜に接触して通っていくこと、および、空気が水膜を打ち破って多孔体を通っていくことでも脱臭を行なうことができる。
【００２３】
このように、形成された水膜に臭気成分を含んだ空気が接触または水膜を貫通することで、臭気成分が水膜に溶け、複雑な機構を行わなくても脱臭が行われる。
【００２４】
次に、本実施の形態の特徴部分の構成について説明を加える。
【００２５】
図２（ａ）に示すように、脱臭フィルタ５は、第一脱臭フィルタ１２と、第二脱臭フィルタ１３と回転軸１４と駆動ギア部１５とから構成されている。
【００２６】
回転軸１４は、第二脱臭フィルタ１３の本体から左右に突出して備え、図２（ｂ）に示すように、水槽８の縁に設けた軸受部１６に軸支されている。また、脱臭フィルタ５は、第一端面１７と第二端面１８を備えた円筒状であり、円筒の中心に備えた回転軸１４を有している。第一端面１７側の回転軸１４には駆動ギア部１５を配置し、駆動部１９に連結している。駆動部１９は、モータ２０と、モータ２０の動力を駆動ギア部１５に伝達する回転体２１を備えている。
【００２７】
また、第一脱臭フィルタ１２と第二脱臭フィルタ１３は、回転軸１４の回りで円筒の直径方向に間隔を空けて二重に配置されている。
【００２８】
すなわち、脱臭フィルタ５は、二重に配置した内側に位置する第一脱臭フィルタ１２と外側に位置する第二脱臭フィルタ１３を備えている。
【００２９】
また、第一脱臭フィルタ１２と第二脱臭フィルタ１３は、それぞれ円筒の外周部分に水膜が形成される多孔体を含むフィルタ濾材７を備えている。
【００３０】
第一脱臭フィルタ１２は、図３で後述する第一脱臭フィルタ枠２２の中心材２２ａを円筒の軸方向に延設し脱臭フィルタ５の回転軸１４を構成している。
【００３１】
駆動部１９と駆動ギア部１５の作用によって、空気風路４の上流側では、脱臭フィルタ５の外側に位置する第二脱臭フィルタ１３は、空気風路４から水中へ没する方向（空気風路４を流れる空気とは逆方向）に回転し、第一脱臭フィルタ１２は、水中から空気路へ出現する方向（空気風路４を流れる空気と同じ方向）に回転するように構成されている。
【００３２】
これにより、水膜が形成される多孔体がフィルタ濾材７全体に水膜を形成することにより、臭気成分がフィルタ濾材７を通過するときに水膜を貫通もしくは水膜に接触して水に溶け込み、脱臭が行なわれる。特に、直径方向に間隔を空けて二重に配置したことにより、正回転の第一脱臭フィルタ１２は、正回転の上流部で風が通過して水膜が消失されても、正回転の下流部では、逆回転の第二脱臭フィルタ１３の上流部に水膜が生成されているため、空気風路４の断面全体で空気を水膜に貫通もしくは水膜に接触させることができ、フィルタ濾材７を通過する脱臭成分をほぼ水に溶け込ませることができる。
【００３３】
また、空気風路４の上流側で第二脱臭フィルタ１３へ空気が通過したときに、第二脱臭フィルタ１３のフィルタ濾材７に汚れが付着しても、前記第二脱臭フィルタ１３は空気が通過した直後に水中に没するため、付着した汚れはすぐに落すことができる。さらに前記第二脱臭フィルタ１３を通過した後の空気は、第一脱臭フィルタ１２のフィルタ濾材７に形成させた清潔な水膜にも接触するため、さらに脱臭効果を高めることができる。つまり、下流側でも同一の反応を起こすことができるため、空気は清潔な水膜を少なくとも２回通過することとなり、これにより複雑な機能なくても脱臭を行うことができる。
【００３４】
なお、第一脱臭フィルタ１２と第二脱臭フィルタ１３の回転方向について、本実施の形態とは別に、空気風路４の上流側では外側に位置する第二脱臭フィルタ１３を、水中から空気路へ出現する方向に回転させ、第一脱臭フィルタ１２を、空気路から水中へ没する方向に回転するように構成することも考えられる。この場合には、脱臭フィルタ５の上流側で汚れた空気が通過した第二脱臭フィルタ１３は、汚れが付いた状態で下流側へ回転していく。この第二脱臭フィルタ１３が水中へ没する前には、第一脱臭フィルタ１２を通過した空気が再び通過することとなる。そのために、第二脱臭フィルタ１３上の汚れが空気中に放出されて拡散してしまう恐れがあり、汚れの再拡散を抑制するという点を重要視した場合には、この回転方向の構成ではより効率的に脱臭することができないと考える。
【００３５】
図３に示すように、第一脱臭フィルタ１２において、フィルタ濾材７を支える第一脱臭フィルタ枠２２は、脱臭フィルタ５の第一端面１７と第二端面１８にそれぞれ対応して円形の第一フィルタカバー２３を備え、第一フィルタカバー２３からは回転軸１４を突出させている。第一端面１７側の第一フィルタカバー２３には第一のギア２４が連結する構成となっている。
【００３６】
また、第一脱臭フィルタ１２は、フィルタ濾材７を筒状に形成しており、フィルタ濾材７は、第二端面１８側の第一フィルタカバー２３の内周側にはめ込まれ、さらに第一端面１７側の第一フィルタカバー２３をはめ込むことで第一脱臭フィルタ枠２２に固定される。第一脱臭フィルタ１２のフィルタ濾材７は、表面を貫通して内部に空気を通すことができる円筒形または円柱形のものであれば良い。
【００３７】
また、図４に示すように、第二脱臭フィルタ１３において、フィルタ濾材７を支える第二脱臭フィルタ枠２５は、線材で形成された枠体２６と、脱臭フィルタ５の第一端面１７と第二端面１８にそれぞれ対応して、円形の第二フィルタカバー２７を備えている。第二フィルタカバー２７の中心部には、第一脱臭フィルタ１２の回転軸１４が貫通するための軸孔２８が空けられている。
【００３８】
第一端面１７側の第二フィルタカバー２７の外側には、前記軸孔２８と同心円上に第二のギア２９を備えている。第二のギア２９は、第二フィルタカバー２７に一体型に形成したものでも別体で備えたものであっても良い。
【００３９】
第二脱臭フィルタ枠２５は、枠体２６にフィルタ濾材７を巻きつけて取り付けた（巻装した）状態で第二端面１８側の第二フィルタカバー２７を接続させる。フィルタ濾材７と枠体２６は一体に成形したものであっても良い。
【００４０】
さらに、第一脱臭フィルタ枠２２に取り付けた第一脱臭フィルタ１２の第二端面１８側へ突出した回転軸１４を第二端面１８側の第二フィルタカバー２７の軸孔２８に貫通させて、第一脱臭フィルタ１２と第二脱臭フィルタ１３は直径方向に二重に重ねている。そして、第一端面１７側の回転軸１４と第二フィルタカバー２７の軸孔２８を貫通させ、その後、第一のギア２４を接続する。
【００４１】
また、第一のギア２４と第二のギア２９は同じ径を有する。加えて、第一のギア２４と第二のギア２９は所定の間隔をとって対向させている。図２（ａ）を参照して説明した駆動ギア部１５は、このようにして回転軸１４の周りで対向させて配置した第一のギア２４と第二のギア２９を示すものである。
【００４２】
つまり、脱臭フィルタ５は、第一脱臭フィルタ１２と、第一脱臭フィルタ１２の中心材２２ａを円筒の軸方向に延設して回転軸１４とし、この回転軸１４の一端側で連結した第一のギア２４と、回転軸１４の周りで軸孔２８により回転可能にした第二脱臭フィルタ１３と、第二脱臭フィルタ１３に回転軸１４の一端側で連結した第二のギア２９とを備えたものである。そして、駆動部１９をモータ２０と回転体２１で構成して、回転体２１が回転軸１４の一端側で第一のギア２４と第二のギア２９に同時に噛み合うものである。
【００４３】
このように、第二脱臭フィルタ枠２５の軸孔２８に第一脱臭フィルタ枠２２の回転軸１４を貫通させることで、フィルタ濾材７は、直径方向に二重に設置することが簡単にできる。
【００４４】
また、脱臭フィルタ５を支える軸受部１６は、回転軸１４を支えるだけでよくなる。つまり、第一脱臭フィルタ枠２２の回転軸１４が第二脱臭フィルタ枠２５の回転軸１４と同一であるため、無駄な部品がなく、複雑な機能がなくても脱臭を行うことができる。これにより、１つのモータで第一脱臭フィルタ１２と第二脱臭フィルタ１３を互いに逆方向へ回転させることができ、複雑な機能がなくても脱臭を行うことができる。
【００４５】
また、図２（ｂ）に示すように、第一脱臭フィルタ１２と第二脱臭フィルタ１３のギアに同時に噛み合うような回転体２１が備えられており、回転体２１はギアにかみ合わせるためにかさ歯車としている。
【００４６】
上記構成によれば、このモータ２０と回転体２１を一体化した駆動部１９によって、前記脱臭フィルタ５のうち一方が正回転、他方が逆回転に回転される。
【００４７】
そして、径方向に間隔を空けて二重に配置したことにより、正回転の脱臭フィルタ５は、正回転の上流部で風が通過して水膜が消失されても、逆回転の脱臭フィルタ５の上流部に水膜が生成されている。
【００４８】
すなわち、通風面全体に常に水膜が形成させた状態を作ることができる。つまり、空気風路の断面全体で空気を水膜に貫通もしくは水膜に接触させることができ、フィルタを通過する脱臭成分をほぼ水に溶け込ませることができる。
【００４９】
また、本実施の形態では、第一のギア２４および第二のギア２９は、かさ歯車を使用したが、歯車が交差軸を持てばよく、平歯車同士の組み合わせでも良い。また、歯のピッチを合わせ噛み合うようにすれば、異なるギアの組み合わせでもよく、例えば、平歯車または、はすば歯車の組み合わせなどがある。さらに今回は、１つのギアで２つのフィルタを回転させる手法を用いたが、フィルタの回転方向ごとに１つずつギアを設置させ、２つのフィルタを逆方向に回転させることも可能である。
【００５０】
また、フィルタ濾材７の材質は、親水性である、または疎水性であっても親水加工をしてあれば良く、セルロース等の紙や木質素材をコルゲート形状に加工したもの、絹・毛・綿・麻等の天然繊維、レーヨン・アセテート・トリアセテート等の合成繊維をコルゲート状にしたもの、吸水性のあるセラミックスハニカムなどを用いることができる。たとえば合成繊維ではポリエステル、アクリル、ナイロン、ビニロン、レーヨン、ポリノジック、キュプラ、アセテート、トリアセテート、プロミックスなどが挙げられる。天然繊維としては、絹、毛、綿、麻などが挙げられる。ポリ酢酸ビニル、ポリビニルアルコールスポンジ、ナイロンマイクロファイバーなどを用いても良い。セルロース等の紙や木質素材、絹・毛・綿・麻等の天然繊維、レーヨン・アセテート・トリアセテート等の合成繊維、吸水性のあるセラミックスを用いてもよい。
【００５１】
また、フィルタの回転軸１４並びにフィルタカバー、枠体２６の材質は、自身の形状の保持、並びにフィルタ濾材７の支持ができるものであればよく、ＰＥ、ＰＰ、ＰＥＴ、ＡＢＳなどの樹脂を用いることができる。
【産業上の利用可能性】
【００５２】
以上のように本発明は、吸込口と吹出口を設けた本体と、前記本体内には、前記吸込口と前記吹出口を連通する空気風路と、前記空気風路へ空気を流す送風手段と、前記空気風路を遮るように設けた回転可能な円筒形状の脱臭フィルタと、前記脱臭フィルタを回転させる駆動部と、前記駆動部で回転させた前記脱臭フィルタの下部を蓄えた水に浸すことのできる水槽とを備え、前記脱臭フィルタは、水に浸した部分に水膜が形成されるフィルタ濾材と、前記フィルタ濾材を維持するフィルタ枠とを有し、直径が異なる第一脱臭フィルタと第二脱臭フィルタを形成し、径方向に二重に配置したものであり、前記駆動部は、前記第一、第二脱臭フィルタのうち一方を空気風路と同一方向に回転する正回転、他方を空気風路と逆方向に回転する逆回転させるものであり、これにより正回転の脱臭フィルタの上流部で風が通過して水膜が消失しても、下流部では、逆回転の脱臭フィルタの上流部に水膜が生成されているため、通風路の断面全体で水膜を保持させることができるため、複雑な機構がなくとも水に空気を通過させ効率的に脱臭を行うことができる。したがって、脱臭装置として活用される。
【符号の説明】
【００５３】
１  脱臭装置
１ａ  本体
２  吸込口
３  吹出口
４  空気風路
５  脱臭フィルタ
６  送風手段
７  フィルタ濾材
８  水槽
９  隔壁
１０  先端部
１１  中心軸
１２  第一脱臭フィルタ
１３  第二脱臭フィルタ
１４  回転軸
１５  駆動ギア部
１６  軸受部
１７  第一端面
１８  第二端面
１９  駆動部
２０  モータ
２１  回転体
２２  第一脱臭フィルタ枠
２２ａ  中心材
２３  第一フィルタカバー
２４  第一のギア
２５  第二脱臭フィルタ枠
２６  枠体
２７  第二フィルタカバー
２８  軸孔
２９  第二のギア
【図１】
2016174854.tif 000003
【図２】
2016174854.tif 000004
【図３】
2016174854.tif 000005
【図４】
2016174854.tif 000006